(57)【特許請求の範囲】
【請求項１】
サブユニット内に実装された電子回路ユニットに対して水平方向に冷却用空気を通気させる電子回路ユニットの冷却構造であって、
上記冷却用空気の吸気と排気とをサブユニットの前後方向に分離整流させる分離部材をサブユニットの上面および、または下面に一方の側面から他方の側面に到るように設けたことを特徴とする電子回路ユニットの冷却構造。
【請求項２】
サブユニット内へ水平姿勢に実装された電子回路ユニットに対して水平方向に冷却用空気を通気させる電子回路ユニットの冷却構造であって、
上記冷却用空気の吸気と排気とを分離整流させる分離部材をサブユニットの上面および、または下面に一方の側面から他方の側面に到るように設けることにより吸気と排気とをサブユニットの前後方向に流通させることを特徴とする電子回路ユニットの冷却構造。
【請求項３】
サブユニット内に実装された電子回路ユニットに対して水平方向に冷却用空気を通気させる電子回路ユニットの冷却構造であって、
上記冷却用空気の吸気と排気とをサブユニットの前後方向に分離整流させる分離部材をサブユニットの上面および、または下面に一方の側面から他方の側面に到るように設けるとともに上記分離部材にサブユニットを実装するラックの側面に延びて冷却用空気の上方向または下方向への流れを遮蔽する遮蔽部材を設けたことを特徴とする電子回路ユニットの冷却構造。
【請求項４】
請求項１ないし請求項３のいずれかに記載の電子回路ユニットの冷却構造において、電子回路ユニットはプリント回路基板からなることを特徴とする電子回路ユニットの冷却構造。
【請求項５】
請求項１ないし請求項３のいずれかに記載の電子回路ユニットの冷却構造において、冷却用空気は電子回路ユニットの側面に配置された電動ファンによって通気されることを特徴とする電子回路ユニットの冷却構造。
【発明の詳細な説明】
【０００１】
【発明の属する技術分野】
本発明は、各種の情報処理装置や通信装置、その他の電子装置などにおいて、たとえばプリント回路基板などからなる電子回路ユニットが水平姿勢に実装され、水平方向に流される電子回路ユニットへの強制冷却用空気の流れを効果的に分離整流させる新規な電子回路ユニットの冷却構造に関する。
【０００２】
【従来の技術】
図１４は、本発明にかかる通信装置サブユニット１の概略の外観図であり、図（ａ）に正面図、図（ｂ）に平面図、を示す。図において、枠形のフレームには正面側からプリント回路基板からなる第１の電子回路ユニット２が水平姿勢に、この場合６段個々に挿抜可能に挿入されており、その下面には左右２箇所に電源ユニット３が同様に挿入配置されている。
【０００３】
図（ｂ）の中央部に点線で示されるプリント回路基板でなるバックボード４は上下方向に延びており、図示しないが第１の電子回路ユニット２の背面側コネクタと接続されるコネクタをそなえており、挿入によってプラグイン接続されるようになっている。このような接続構成は電源ユニット３も同様である。
正面側とは反対側の背面側にも、同様な第２の電子回路ユニット５が複数水平姿勢に背面側から挿抜可能に挿入されており、バックボード４とコネクタによるプラグイン接続されるように構成されている。
【０００４】
図示左側には、正面側と背面側とからバックボード４の両側に第１の送風機ユニット６と第２の送風機ユニット７とが挿入されて、やはりコネクタによるプラグイン接続されるようになっている。また、図示右側には、正面側から正面側の第１の電子回路ユニット２と背面側の第２の電子回路ユニット５の挿入実装領域にわたって幅広なエアフィルタ８が挿入されている。
【０００５】
上記、第１の電子回路ユニット２、第２の電子回路ユニット５、電源ユニット３、第１の送風機ユニット６、第２の送風機ユニット７、エアフィルタ８、の外面側にはパネル板が設けられており、パネル板とフレームとは取り付けねじによって取り付け固定されるようになっている。したがって、この通信装置サブユニット１の前面と背面とはそれぞれのパネル板で隙間なく塞がれている。
【０００６】
正面側の左右には平面視Ｌ形の取り付け金具９が取り付けられており、この取り付け金具９の取り付け孔１１によって後述するラックに取り付け固定されるようになっている。
図１４の左側の側面図を図１５に示すが、第１の送風機ユニット６は並行配置された９個のファン１２で構成されており、第２の送風機ユニット７は並行配置された６個のファン１３で構成されている。
【０００７】
フレームの上面と左右の両側面とはカバー１４によって覆われているが、両側面には空気を通過させるための多数の通気孔が、広い面積にわたって開けられている。
概略、以上のような構成であるが、内部の各ユニット間の電気、信号回路などはバックボード４を介して接続される。外部との電気回路、信号回路などについては図示しないコネクタによって接続される。
【０００８】
上記、第１の電子回路ユニット２および第２の電子回路ユニット５ならびに電源ユニット３は、高密度にして高密度かつ高速度化された電子部品が実装搭載されていることから、動作にともなって、かなりの発熱を生じる。
そこで、第１の送風機ユニット６、第２の送風機ユニット７を動作させることにより、図１４において通信装置サブユニット１の図示左側の外部へカバー１４の通気孔をとおして空気が熱気として排出され、外部の冷気が図示右側からカバー１４の通気孔とエアフィルタ８をとおして吸気導入される。
【０００９】
吸気された外部の空気は、第１の電子回路ユニット２、第２の電子回路ユニット５の並行する回路基板間を通り抜けながら発熱する電子部品の熱を吸収して冷却しながら第１の送風機ユニット６、第２の送風機ユニット７によって外部へ排出される。このようなことは電源ユニット３についても第１の送風機ユニット６により同様に行なわれるようになっている。
【００１０】
図１６は、通信装置サブユニット１を収容し実装するラック２１の概略の平面視断面図であり、図示手前側が正面または前面、向こう側が背面または後面、側である。基本的な構成は、図示左右の前後に板金を折り曲げ形成してなる柱部材である対の縦フレーム２２，２３と、上下において、これらの縦フレーム２２，２３と結合される後述の図１７に示される天井部材２４、底板部材２５、とからなる。
【００１１】
図において、縦フレーム２２，２３を互いに連結する補強部材や、底板部材２５の各種の部材、その他取り付け用のねじ類などは煩雑となることから、あえて図示省略してあることを理解されたい。このようなことは後述する各図面においても同様なことである。
両側面には側面カバー２６と、背面側に開閉式の背面扉２７と、が設けられているが、本ラック２１においては、これらはとくに必要とするものではなく、設ける場合には後述するような理由から適宜な通気孔を形成するものとする。
【００１２】
ラック２１の内部において、縦フレーム２２，２３の前端面と後端面とに取り付けられ、通信装置サブユニット１を案内摺動させて挿入させるための正面視Ｌ形の対の案内支持部材（以下レールと略称する）２８が左右対称にして上下方向に所定間隔で取り付けられている。
図１７は、ラック２１に通信装置サブユニット１を挿入搭載させた状態の正面図であり、図１６で説明のレール２８上に通信装置サブユニット１を乗せて摺動挿入させるとともに、取り付け金具９の取り付け孔１１によってラック２１の前側の縦フレーム２２の前面に、ねじによって取り付け固定させた状態である。
【００１３】
また、通信装置サブユニット１の上下間、ならびに上下端には、それぞれ適宜な間隔が形成されることから、この間隔部分を塞ぐように上下方向幅の狭いパネル板２９がねじ止めして取り付けられている。また、ラック２１の下端部には全体を支持しねじ止めして建屋の床面に固定させるための強固な基礎台枠３１も設けられる。図１８は、図１７における通信装置サブユニット１の上面位置における平面視断面図である。
【００１４】
図１９は、図１４で説明の通信装置サブユニット１に対する冷却用空気の流れをラック２１とともに説明するための図１８と同じ断面図である。図から明らかなように、通信装置サブユニット１の背面側はラック２１の背面側の縦フレーム２３と重なり合わない位置にて設定されており、第１の送風機ユニット６と、第２の送風機ユニット７と、の排気の流れに対してはラック２１の側面間の上下方向を塞ぐような配線ケーブルなどを配置させないような配慮がなされている。このようなことは、吸気側であるエアフィルタ８との対向部分についても同様である。したがって、矢印に示されるようにラック２１の一方の側面外部からの空気を吸入し他方の側面外部に排出させることに、なんらの問題を生じないようになっている。
【００１５】
【発明が解決しようとする課題】
通信量の増加にともなって、複数の通信装置サブユニット１を収容したラック２１を複数台設置する必要に応じては、このようなラック２１を並列配置させることになるのであるが、図１９を参照して説明のように、ラック２１は一方の側面から冷却用の空気を吸入し他方の側面から暖気を排出することから、並列配置させる場合には、図２０に示すように相当の間隔を設けることが必要である。
【００１６】
このようなことは排出された暖気が適当に空間に拡がって隣接するラック２１の吸気に混入するにしても、影響のない程度となるような距離間隔とすることが不可欠であるからである。そうでなけれは、それぞれのラック２１間に適宜な遮蔽用の衝立などの壁面を設けることとなるが、それにしても回り込みなどの不都合が生じないようにする必要もある。
【００１７】
ラック２１の間隔を図２１のように接近させることについては、ラック２１の外部と空気が通過し出入りを生じないような通気孔のない側面カバー３２を取り付けることになるが、このような側面カバー３２を取り付けることはラック２１内において、通信装置サブユニット１の背面側空間ないしは上下の空間を介して吸気と排気とが循環し混濁することから、内部空気の温度上昇をまねき不適切きわまりないことから論外であり実施し得ないことである。
【００１８】
以上のような従来装置に対する新規な要望ににかんがみて、本発明はこのような不都合を生じることなく、水平方向に流れる電子回路ユニットへの強制冷却用空気の流れを効果的に分離整流させることで吸気と排気とが混合することのない電子回路ユニットの冷却構造の提供を発明の課題とすることにある。
【００１９】
【課題を解決するための手段】
上記、課題を解決するための本発明電子回路ユニットの冷却構造の構成要旨とするところの第１の手段は、サブユニット内に実装された電子回路ユニットに対して水平方向に冷却用空気を通気させる電子回路ユニットの冷却構造であって、この冷却用空気の吸気と排気とをサブユニットの前後方向に分離整流させる分離部材をサブユニットの上面および、または下面に一方の側面から他方の側面に到るように設けた電子回路ユニットの冷却構造である。
【００２０】
この第１の手段によると、サブユニット内の電子回路ユニットに対して一方の側面から吸気されて他方の側面から排出される冷却用空気は、サブユニットの上面または下面、あるいはその両面に設けられた分離部材によって、吸気は一方の側面から吸入されるように分離整流され、他方の側面から排出される排気は排出方向へ分離整流されることから吸気と排気とが混合されることがない。
【００２１】
本発明の構成要旨とする第２の手段は、サブユニット内へ水平姿勢に実装された電子回路ユニットに対して水平方向に冷却用空気を通気させる電子回路ユニットの冷却構造であって、この冷却用空気の吸気と排気とを分離整流させる分離部材をサブユニットの上面および、または下面に一方の側面から他方の側面に到るように設けることにより吸気と排気とをサブユニットの前後方向に流通させる電子回路ユニットの冷却構造である。
【００２２】
この第２の手段によると、サブユニット内に水平姿勢に実装された電子回路ユニットに対して一方の側面から吸気されて他方の側面から排出される冷却用空気は、サブユニットの上面または下面、あるいはその両面に設けられた分離部材によって、吸気は一方の側面から吸入されるように分離整流され、他方の側面から排出される排気は排出方向へ分離整流されることから吸気と排気とが混合されることがない。
【００２３】
本発明の構成要旨とする第３の手段は、サブユニット内に実装された電子回路ユニットに対して水平方向に冷却用空気を通気させる電子回路ユニットの冷却構造であって、この冷却用空気の吸気と排気とをサブユニットの前後方向に分離整流させる分離部材をサブユニットの上面および、または下面に一方の側面から他方の側面に到るように設けるとともに、分離部材にサブユニットを実装するラックの側面に延びて冷却用空気の上方向または下方向への流れを遮蔽する遮蔽部材を設けた電子回路ユニットの冷却構造である。
【００２４】
この第３の手段によると、サブユニット内の電子回路ユニットに対して一方の側面から吸気されて他方の側面から排出される冷却用空気は、サブユニットの上面または下面、あるいはその両面に設けられた分離部材によって、吸気は一方の側面から吸入されるように分離整流され、他方の側面から排出される排気は排出方向へ分離整流されことから吸気と排気とが混合されることがない。くわえて、排気は遮蔽部材によってサブユニットの上または下の空間を経由して吸気側へ回り込むことが遮蔽阻止されるものである。
【００２５】
本発明の構成要旨とする第４の手段は、第１ないし第３の手段いずれかの電子回路ユニットの冷却構造における電子回路ユニットはプリント回路基板に適用される。
さらに本発明の構成要旨とする第５の手段は、第１ないし第３の手段いずれかの電子回路ユニットの冷却構造における冷却用空気は、電子回路ユニットの側面に配置された電動ファンによって通気される。
【００２６】
【発明の実施の形態】
以下、本発明電子回路ユニットの冷却構造について、構成要旨にもとづいた好適実施の形態につき、図を参照しながら順次具体的詳細に説明する。なお、全図を通じて同様箇所には理解を容易とするために、便宜上同一符号を付して示すものとする。
【００２７】
図１は、本発明に適用される分離部材の第１の一実施の形態の斜視図であって分離状態に示してある。図において、分離部材３５はそれぞれ板金材、たとえばステンレス鋼板からなる図示下側の本体部３６と上側の平板のカバー板３７とからなる。本体部３６の底面板３８は直角三角形をしており、斜辺部３９が底面板３８から直角に直立するように折り曲げられ、さらに上面に沿って底面板３８と平行する帯状部４１に折り曲げられている。
【００２８】
斜辺部３９と対向する底面板３８の直角部分には、帯状に立ち上げられ上部が鉤形に曲げられた取り付け面４２に形成されており、この取り付け面４２と対向する斜辺部３９とには両側に拡がるような対の取り付け面４３に折り曲げ形成され、それぞれに取り付け孔４４が設けられている。
斜辺部３９の図示向こう側は、三角形の底辺に沿うように延びており、二条の細長い取り付け孔４５が形成されている。この細長い取り付け孔４５に対向してＬ形をなす取り付け金具４６がねじで取り付けられるようにねじ孔４７と、Ｌ形の他方の面には取り付け孔４８と、が設けられている。
【００２９】
本体部３６の帯状部４１と取り付け面４２、ならびにカバー板３７の斜辺に添った部分と直角部分、にはそれぞれ取り付け用孔４９が形成されており、これらの取り付け用孔４９に、たとえば公知なブラインドリベットを用いて本体部３６とカバー板３７とを密着状態として組み合わせ、かしめ付けて取り付け結合固定させることにより、図２に示されるように組み立てられた分離部材３５が完成される。この分離部材３５は、正面側と図示右側の側面とが開口しており、斜辺部３９が閉じられた一種のダクト形状である。
【００３０】
上記、分離部材３５によって電子回路ユニットを冷却することについて、以下順次説明することとする。電子回路ユニットを収容実装する通信装置サブユニットは、図１４および図１５で説明したものと同じなことから、ここでの説明は省略し既述の説明ならびに図面を参照して説明することとする。
まず、分離部材３５を取り付けるラックであるが、図３の正面図に示されるようであり、基本的な構成は図１６で説明と同じであるから同一符号により以下説明する。
【００３１】
図３を参照し、ラック２１内の正面側の縦フレーム２２と背面側の縦フレーム２３とに対のレール２８を上下方向へ所定間隔ごと水平かつ左右対称に取り付ける。また、レール２８の下部に接近して分離部材３５の対の取り付け面４３を正面側の縦フレーム２２の正面側のねじ孔に、取り付け孔４４にねじを挿入しねじ込んで締めつけ固定させるとともに、背面側の縦フレーム２３の背面側にも取り付け金具４６により同様にして取り付け固定させる。ラック２１の最上部にも分離部材３５を取り付ける。このようにして水平に取り付けられたレール２８と分離部材３５との上下方向の空間間隔が通信装置サブユニット１を挿入し実装するスペースである。また、このラック２１の両側面には通気孔のない側面カバー３２が取り付けられている。
【００３２】
ラック２１の正面側の縦フレーム２２の正面ならびに背面側の縦フレーム２３の背面側には、電子回路ユニット１やレール２８ならびに分離部材３５などを取り付けるための、上下方向に所定間隔で多数の取り付け用孔が縦列して設けられているが煩雑となることから図示省略して示してある。このことは後述の各図面についても同様である。
【００３３】
ラック２１のそれぞれのレール２８上に通信装置サブユニット１を乗せて摺動挿入させるとともに、取り付け金具９の取り付け孔１１にねじを挿入させてラック２１の前側の縦フレーム２２の前面に、ねじで取り付け固定させた状態が図４の正面図に示される。
図５は、以上のようにして、通信装置サブユニット１が挿入固定された図４の状態の平面視断面図が、分離部材３５とともに示される。図５から明らかなように、分離部材３５の斜辺部３９は、ラック２１の図示左正面側の縦フレーム２２の前面と図示右背面側の縦フレーム２３の背面との間に取り付けられていることから、この間の空間を斜めに仕切っていることになる。つまり、ラック２１の内部空間を一方の側面と他方の側面との間の左右方向を分離している。このようなことは、通信装置サブユニット１の上下の間の空間を同様に分離していることでもある。
【００３４】
以上のような構成において、通信装置サブユニット１の動作にともなって第１，第２の送風機ユニット６，７による空気の流れは既述したように、図示右側から左側へと通信装置サブユニット１の内部を流れることにより、ラック２１の左側の前後の縦フレーム２２，２３と左側の側面カバー３２との空間を上下方向に別れた空気流となり、通信装置サブユニット１の上下の空間部分、すなわち分離部材３５の設けられている空間内に流れ込むことになる。
【００３５】
この空間内に流れ込むことは、ラック２１の空間が左右に分離されていることから図示手前側には流れ出ることができないので、実践の矢印で示されるように斜辺部３９に沿った図示向こう側の背面方向に誘導されることとなり、ラック２１の背面扉２７の通気孔から外部へ排出される。
一方、通信装置サブユニット１の内部への吸気は、ラック２１の正面側から分離部材３５の内部空間へ図示手前側の正面開口から流れ込むのであるが、同様に点線の矢印で示されるように斜辺部３９によってラック２１の背面方向に流れることなく内部へ拡がり誘導されて右側の開口から、ラック２１の右側の前後の縦フレーム２２，２３と右側の側面カバー３２との空間に流れ込むことにより、通信装置サブユニット１の側面からエアフィルタ８を介して内部に吸気されることとなる。
【００３６】
以上のようなことは、それぞれの各通信装置サブユニット１に対してそれぞれに行なわれることであるが、分離部材３５によって吸気と排気とが確実に分離誘導されるものではなく、わずかな隙間などの存在による漏れがあるものの、そのほとんどの空気は分離誘導されるものである。しかしながら、隙間などを適宜な塞ぎ部材で塞ぐことにより漏れは阻止される。
【００３７】
このように冷却用の空気流は分離部材３５によって、正面側からの吸気流が斜辺部３９の一方の面により通信装置サブユニット１の右側から内部へ流れ込んで内部の発熱をともなう電子回路ユニットを冷却し、左側から排出された排気流は斜辺部３９の他方の面によって背面側へと、確実にラック２１の前方側と後方側とに分離誘導されることから混合気流となることがないので、効果的な電子回路ユニットの冷却構造が得られることとなるから複数のラック２１を横方向密に並列配置させることが可能となる。
【００３８】
つぎに、図６を参照して本発明に適用される遮蔽部材の一実施の形態について説明するが図は分離状態の斜視図に示してある。この遮蔽部材５５は既述したレール２８の一方、本実施の形態にあっては正面視左側のレール２８の下面に取り付けられる。
ここでレール２８についての構成を説明すると、正面視対称形な対のＬ字形であって正面側には両端方向に拡がるような取り付け面５６にラック２１の正面側の縦フレーム２２の前面に取り付けるための取り付け用のねじ挿入孔５７と、背面側には側面にねじ孔５８が４箇所に形成されている。
【００３９】
レール２８をラック２１の背面側の縦フレーム２３の背面側に取り付けるために、対の平面視Ｌ字形の取り付け金具５９が組み合わせられるが、側面には二条の細長い取り付け孔６１と背面側の縦フレーム２３に取り付けるための取り付け面６２にはねじ挿入孔６３が形成されている。
遮蔽部材５５は長方形の板材でありレール２８と取り付けるためのねじ孔６４が設けられており、レール２８にはねじ孔６４に対応した位置に皿孔が形成されている。取り付けるには皿頭ねじを使用して取り付け結合させることにより、レール２８の上面には突起がなく平坦面であり、通信装置サブユニット１を摺動させて挿入させるのに支障がない。あるいは、ねじに代えて皿頭リベットなどで結合させることも可能である。レール２８、取り付け金具５９、遮蔽部材５５、は板金材、たとえばステンレス鋼板でなる。
【００４０】
レール２８をラック２１に取り付けるには、取り付け金具５９をねじによって組み合わせ結合させておき、取り付け金具５９の細長い取り付け孔６１の位置を調節して前後の縦フレーム２２，２３間に位置合わせさせて取り付け締めつけて固定させる。
以上のようにしてラック２１に取り付けた状態の平面視断面図が図７に示される。遮蔽部材５５はラック２１の左側の側面カバー３２の内面に接近する状態に突出されており前面側は正面側の縦フレーム２２に接近しているが、背面側は背面側の縦フレーム２３との間に適宜な間隔による空間が形成されている。このことは、レール２８と側面カバー３２との間の空間に図示していないが配線ケーブルが上下方向に配置されるための空間として形成確保されているものである。
【００４１】
対のレール２８間に二点鎖線で示されるのは通信装置サブユニット１の背面側が示されているもので、このことから、遮蔽部材５５は第１の送風機ユニット６と第２の送風機ユニット７とのファン１２，１３に対応した位置に設けられていることにある。
また、図７には図示していないが実際には図５で説明の分離部材３５が遮蔽部材５５の設けられているレール２８の下部に接近して取り付けられていることに注意と理解が必要である。
【００４２】
以上の構成で、図７および既述の図面ならびに説明を参照しながらこの遮蔽部材５５の作用を説明すると、遮蔽部材５５の上側に挿入実装された通信装置サブユニット１からの排気は遮蔽部材５５によって下方側には流れ込むことができないために、通信装置サブユニット１の上側の分離部材３５によって外部に排出されることとなる。
【００４３】
遮蔽部材５５の下方に挿入実装された通信装置サブユニット１の排気は遮蔽部材５５によって、遮蔽部材５５よりも上側に流れ込むことが遮蔽阻止され、直下の分離部材３５すなわち、下方の通信装置サブユニット１の上側の分離部材３５によって同様に背面側の外部に排出されることとなる。
このように、遮蔽部材５５を設けることによって上下の通信装置サブユニット１，１からの排気が合流することなく分離排出されることから効果的な排気の排出が行なわれるものとなる。遮蔽部材５５とラック２１の背面側の縦フレーム２３との間の空間には図示していない上下方向の配線ケーブルが介在配置されているので、この空間を介して相互の排気領域に流れ込む排気量はあまり多くはない。
【００４４】
図８は、本発明に適用される分離部材の第２の一実施の形態の斜視図であって組み立て状態に示してある。分離部材７１の基本的な構成は図１、図２と同様なことから、理解を容易とするために同一部分には同一の符号を付して説明することとする。この分離部材７１は、それぞれが板金材、たとえばステンレス鋼板からなる図示下側の本体部３６と上側の平板のカバー板７２とからなる。
【００４５】
本体部３６の底面板３８は直角三角形をしており、斜辺部３９が底面板３８から直角に直立するように折り曲げられ、さらに上面に沿って底面板３８と平行する帯状部４１に折り曲げられている。
斜辺部３９と対向する底面板３８の直角部分には、帯状に立ち上げられ上部が鉤形に曲げられた取り付け面４２に形成されており、この取り付け面４２と対向する斜辺部３９とには両側に拡がるような対の取り付け面４３に折り曲げ形成され、それぞれに取り付け孔４４が設けられている。
【００４６】
斜辺部３９の図示向こう側は、三角形の底辺に沿うように延びており、二条の細長い取り付け孔４５が形成されている。この細長い取り付け孔４５に対向してＬ形をなす取り付け金具４６がねじで取り付けられるようにねじ孔４７と、Ｌ形の他方の面には取り付け孔４８と、が設けられている。
本体部３６の帯状部４１と取り付け面４２、ならびにカバー板７２の斜辺に添った部分と直角部分、にはそれぞれ取り付け用孔４９が形成されており、これらの取り付け用孔４９に、たとえば公知なブラインドリベットを用いて本体部３６とカバー板７２とを密着状態として組み合わせ、かしめ付けて取り付け結合固定させることにより、図示されるように組み立てられた分離部材７１となる。
【００４７】
この分離部材７１についても、正面側と図示右側の側面とが開口しており、斜辺部３９が閉じられた一種のダクトであるが、カバー板７２の図示右側の辺が長方形状に突出された遮蔽部材７３としての部分であることに格別な構成が付与されている。
この分離部材７１によって電子回路ユニットを冷却することについて、以下順次説明することとする。電子回路ユニットを収容実装する通信装置サブユニットは、図１４および図１５で説明したものと同じなことから、ここでの説明は省略し既述の説明ならびに図面を参照して説明することとする。
【００４８】
この分離部材７１を取り付けるラックは、図３で説明したと同様なことから既述の説明を参照して理解されたい。ラック２１に分離部材７１が取り付けられた状態の平面視断面図が図９に示されるが、図ではレール２８を図示省略してあるものの図４で説明のように挿入実装される通信装置サブユニット１については、全体を図示省略したが二点鎖線で背面側が示してある。
【００４９】
図９においても、図２および図５で説明の分離部材３５の場合と同様に、分離部材７１の斜辺部３９は、ラック２１の図示左正面側の縦フレーム２２の前面と図示右背面側の縦フレーム２３の背面との間に取り付けられていることから、この間の空間を斜めに仕切っていることになり、ラック２１の内部空間を一方の側面と他方の側面との間を分離している。このようなことは、通信装置サブユニット１の上下の間の空間を同様に分離していることでもある。
【００５０】
また、この分離部材７１の遮蔽部材７３はラック２１の右側の側面カバー３２の内面に接近する状態に突出されており、前面側は正面側の縦フレーム２２に接近しているが、背面側の縦フレーム２３との間に間隔による空間が形成されている。このことは、図７で説明のように図示省略のレール２８と側面カバー３２との間の空間に図示していない配線ケーブルが上下方向に配置されるための空間として形成確保されている。
【００５１】
以上のような構成において、通信装置サブユニット１の動作にともなって第１，第２の送風機ユニット６，７の動作による空気の流れは図５を参照して説明したように、図示右側から左側へと図示省略の通信装置サブユニット１の内部を流れることにより、ラック２１の左側の縦フレーム２２，２３と左側の側面カバー３２との空間を上下方向に別れた空気流となり、通信装置サブユニット１の上下の空間部分、すなわち分離部材７１の設けられている空間内に流れ込むことになる。
【００５２】
この空間内に流れ込むことは、ラック２１の空間が左右に分離されていることから図示手前側には流れ出ることができないので、実践の矢印で示されるように斜辺部３９に沿った図示向こう側の背面方向に誘導されることとなり、ラック２１の背面扉２７の通気孔から外部へ排出される。
一方、通信装置サブユニット１の内部への吸気は、ラック２１の正面側から分離部材７１の内部空間へ図示手前側の正面開口から流れ込むのであるが、同様に点線の矢印で示されるように斜辺部３９によってラック２１の背面方向に流れることなく内部へ拡がり誘導されて右側の開口から、ラック２１の右側の前後の縦フレーム２２，２３と右側の側面カバー３２との空間に流れ込むことにより、通信装置サブユニット１の側面からエアフィルタ８を介して内部に吸気される。
【００５３】
この吸入される吸気の流れは、遮蔽部材７３によって上方向への流れが遮蔽阻止されることから、分離部材７１の下方の通信装置サブユニット１のみに吸気の流れが行なわれることとなる。以上のようなことは、それぞれの各通信装置サブユニット１に対してそれぞれに行なわれることであるが、分離部材７１によって吸気と排気とが確実に分離誘導されるものではなく、わずかな隙間などの存在による漏れがあるものの、そのほとんどの空気は分離誘導される。しかしながら、隙間などを適宜な塞ぎ部材で塞ぐことにより漏れは阻止される。
【００５４】
このように、冷却用の空気流は分離部材７１によって、正面側からの吸気流が斜辺部３９の一方の面により通信装置サブユニット１の右側から内部へ流れ込んで内部の発熱をともなう電子回路ユニットを冷却し、左側から排出された排気流は斜辺部３９の他方の面によって背面側へと、確実にラック２１の前方側と後方側とに分離誘導されることから混合気流となることがないので、効果的な電子回路ユニットの冷却構造が得られることとなるから複数のラック２１を横方向密に並列配置させることが可能となる。
【００５５】
図１０は、本発明に適用される分離部材の第３の一実施の形態の斜視図であって組み立て状態に示してある。分離部材７５の基本的な構成は図８と同様なことから、同様に理解を容易とするために同一部分には同一の符号を付して説明することとする。この分離部材７５は、それぞれが板金材、たとえばステンレス鋼板からなる図示下側の本体部３６と上側のカバー板７６とからなる。
【００５６】
本体部３６の底面板３８は直角三角形をしており、斜辺部３９が底面板３８から直角に直立するように折り曲げられ、さらに上側に沿って底面板３８と平行する帯状部４１に折り曲げられている。
斜辺部３９と対向する底面板３８の直角部分には、帯状に立ち上げられ上部が鉤形に曲げられた取り付け面４２に形成されており、この取り付け面４２と対向する斜辺部３９とには両側に拡がるような対の取り付け面４３に折り曲げ形成され、それぞれに取り付け孔４４が設けられている。
【００５７】
斜辺部３９の図示向こう側は、三角形の底辺に沿うように延びており、二条の細長い取り付け孔４５が形成されている。この細長い取り付け孔４５に対向してＬ形をなす取り付け金具４６がねじで取り付けられるようにねじ孔４７と、Ｌ形の他方の面には取り付け孔４８と、が設けられている。
本体部３６の帯状部４１と取り付け面４２、ならびにカバー板７６の対角上の部分と直角部分、にはそれぞれ取り付け用孔４９が形成されており、これらの取り付け用孔４９に、たとえば公知なブラインドリベットを用いて本体部３６とカバー板７６とを密着状態として組み合わせ、かしめ付けて取り付け結合固定させることにより、図示されるように組み立てられた分離部材７５となる。
【００５８】
この分離部材７５についても、正面側と図示右側の側面とが開口しており、斜辺部３９が閉じられた一種のダクトであるが、カバー板７６が図示のように方形状であること、ならびにカバー板７６の図示左右の辺がそれぞれに長方形状に突出された対の遮蔽部材７３，７７としての部分であることに格別な構成が付与されている。
【００５９】
この分離部材７５によって電子回路ユニットを冷却することについては、基本的には図６および図７を参照して説明の遮蔽部材５５と、図８および図９を参照して説明の分離部材７１と、を一体化したものと実質的に同等の作用、効果を奏するものである。したがって、レール２８に遮蔽部材５５を組み合わせたものを、レール２８のみとしてこの分離部材７５によって置き換えることができる。ラック２１に組み込んだ平面視としての図は省略するが図７と図９とを合成したものと理解されたい。
【００６０】
図１１は、本発明の分離部材の第４の一実施の形態の斜視図であって組み立て状態に示してある。分離部材８１の基本的な構成は図１０と同様であるが、遮蔽部材の位置が上下逆の位置関係に設けられていることにおいて相違する。以下図によって説明すると、この分離部材８１は、それぞれが板金材、たとえばステンレス鋼板からなる図示上側の本体部８２と下側の底面板８３とからなる。
【００６１】
本体部８２の上面板８４は直角三角形をしており、斜辺部８５が上面板８４から直角に垂下するように折り曲げられ、さらに下側に沿って上面板８４と平行する帯状部８６に折り曲げられている。
斜辺部８５と対向する上面板８４の直角部分には、帯状に折り曲げられ下部が鉤状に曲げられた取り付け面８７に形成されており、この取り付け面８７と対向する斜辺部８５とには両側に拡がるような対の取り付け面８８に折り曲げ形成され、それぞれに取り付け孔８９が設けられている。
【００６２】
斜辺部８５の図示向こう側は、三角形の底辺に沿うように延びており、二条の細長い取り付け孔４５が形成されている。この細長い取り付け孔４５に対向してＬ形をなす取り付け金具４６がねじで取り付けられるようにねじ孔４７と、Ｌ形の他方の面には取り付け孔４８と、が設けられている。
本体部８２の帯状部８６と取り付け面８７、ならびに底面板８３の対角上の部分と直角部分、にはそれぞれ取り付け用孔９１が形成されており、これらの取り付け用孔９１に、たとえば公知なブラインドリベットを用いて本体部８２と底面板８３とを密着状態として組み合わせ、かしめ付けて取り付け結合固定させることにより、図示されるように組み立てられた分離部材８１となる。
【００６３】
この分離部材８１についても、正面側と図示右側の側面とが開口しており、斜辺部８５が閉じられた一種のダクトであるが、底側板８３が図示のように方形状であること、ならびに底面板８３の図示左右の辺がそれぞれに長方形状に突出された対の遮蔽部材９２，９３としての部分であることに格別な構成が付与されている。
【００６４】
この分離部材８１によって電子回路ユニットを冷却することについては、基本的には図６および図７を参照して説明の遮蔽部材５５と、図８および図９を参照して説明の分離部材７１と、を一体化したもの、または図１０を参照して説明の分離部材７５と、実質的に同等の作用、効果を奏するものである。したがって、レール２８に遮蔽部材５５を組み合わせたものを、レール２８のみとしてこの分離部材８１によって置き換えることができる。同様にラック２１に組み込んだ平面視としての図は省略するが図７と図９とを合成したものと理解されたい。
【００６５】
図１２は、以上説明の各種の分離部材ならびに遮蔽部材を組み合わせることについてラック２１に取り付けた状態の一実施の形態の正面図を示し、図を参照してその作用、効果について説明することとするが、図１２には説明の都合上理解を容易とするためにあえて通信装置サブユニット１を図示省略してある。
最上部に図１０で説明の分離部材７５を取り付け、上から二段目、三段目および四段目には図８で説明の分離部材７１を取り付け、最下段には図１１で説明の分離部材８１を取り付けてある。
【００６６】
これらの分離部材の上側に接近してレール２８を左右対称にラック２１へ取り付けるのであるが、最下段にはレール２８のみを取り付け、上三段については図６、図７で説明の遮蔽部材５５を取り付けたレール２８を取り付けるようにしている。このような構成として、それぞれのレール２８上に通信装置サブユニット１をそれぞれに挿入実装させることについては図４で説明と同様なことである。
【００６７】
したがって、図１２については通信装置サブユニット１が挿入実装されているものとして、その作用について説明すると、最上段の通信装置サブユニット１については、上側の分離部材７５の正面側からの吸気によって右側から内部を通過する冷却空気が左側へ排気されることによって同様に上側の分離部材７５により背面側に排出される。
【００６８】
このように上側の分離部材７５のみによって吸排気がなされる理由は、この分離部材７５の左右の遮蔽部材７３，７７によってラック２１の天井部材２４の下方の空間への経路が遮蔽されていることにより、この空間を空気が流れることがないので排気流が吸気側に流れ込むことが阻止される。下方側はレール２８の遮蔽部材５５と下方の分離部材７１の遮蔽部材７３とによって同様に下段側に対して遮蔽されていることによるからである。
【００６９】
上から二段目と三段目の通信装置サブユニット１については、それらの通信装置サブユニット１の上側の分離部材７１によってのみ、吸排気が行なわれる。これについては上側のレール２８の遮蔽部材５５と分離部材７１の遮蔽部材７３とによって上側への経路が遮蔽されており、下側のレール２８の遮蔽部材５５と分離部材７１の遮蔽部材７３とによって下側への経路が遮蔽されていることによるからである。
【００７０】
最下段の通信装置サブユニット１については、この実施の形態によると、上側の分離部材７１と下側の分離部材８１とによって吸排気が行なわれる。この理由は、上側のレール２８の遮蔽部材５５と分離部材７１の遮蔽部材７３とによって上側への経路が遮蔽されており、下側の分離部材８１の遮蔽部材９２，９３によって下側が遮蔽されていることによるからである。この場合、下側の遮蔽部材９２，９３による遮蔽の作用はラック２１の底板部材２５の下方の空間への経路が遮蔽されていることにより、この空間を空気が流れることがないので排気流が吸気側に流れ込むことが阻止される。
【００７１】
上記の実施の形態において、途中のレール２８に遮蔽部材５５を組み合わせたものを適用したが、途中の分離部材７１を両側に遮蔽部材７３，７７をそなえた分離部材７５とすることによって遮蔽部材５５に置き換えることができる。
また、具体的な説明をしなかったがレール２８に遮蔽部材５５を組み合わせたものとし、図示右側の他方側のレール２８にも対称形な遮蔽部材５５を組み合わせたレール２８を適用することによって、遮蔽部材７３をそなえた分離部材８１に換えて、遮蔽部材をそなえていない分離部材３５とすることももちろん可能なことである。
【００７２】
図１３は、本発明に適用される分離部材の第５の一実施の形態の斜視図であって分離状態に示してある。分離部材９５はそれぞれ板金材、たとえばステンレス鋼板からなり、平面視ほぼＬ字形をなす同一形状の上面板９６と底面板９７と左側および背面側を遮蔽する遮蔽板９８および右手前側の直角の隅角を結合する正面視コの字形の結合金具９９とからなる。
【００７３】
遮蔽板９８は垂直面１０１の両側が並行するようコの字形に折り曲げられてなる並行面１０２による溝形であり、正面側から背面側への第１の前後方向の遮蔽部９８−１と、直角に折り曲げられた第１の左右方向への遮蔽部９８−２と、さらに直角に折り曲げられた第２の前後方向への遮蔽部９８−３と、さらにまた直角に折り曲げられた第２の左右方向への遮蔽部９８−４と、からなり、その先端の垂直面１０１と、が連続して一体に形成されており、垂直面１０１には二条の細長い取り付け孔４５が形成されている。
【００７４】
この細長い取り付け孔４５に対向してＬ形をなす取り付け金具４６がねじで取り付けられるようにねじ孔４７と、Ｌ形の他方の面には取り付け孔４８と、が設けられている。
結合金具９９と対向する第１の前後方向の遮蔽部９８−１とには両側に拡がるような対の取り付け面４３に折り曲げ形成され、それぞれに取り付け孔４４が設けられている。
【００７５】
遮蔽板９８の並行面１０２と、この並行面１０２と接触する上面板９６および底面板９７の接触面とには、図示しない取り付け用孔が適宜間隔に形成されている。結合金具９９との接触面とにも同様の取り付け用孔が形成されており、これらの取り付け用孔に、たとえば公知なブラインドリベットを用いて密着状態として組み合わせ、かしめ付けて取り付け結合固定させることにより一体化して組み立てることにより分離部材９５となる。
【００７６】
この分離部材９５についても、正面側と図示右側の側面とが開口しており、遮蔽板９８の垂直面１０１によって左側と背面側とが閉じられた一種のダクトであるが遮蔽板９８がジグザグ状に複数箇所で屈曲して折り曲げられていることにより正面側と右側面とによる吸気口は最大限の開口面をそなえている。このことはまた、左側と背面側とで形成される排気口についても同様の開口面ともなっている。
【００７７】
上記分離部材９５を、図３ないし図５で説明の分離部材３５と置き換えてラック２１に取り付けることにより、同様の確実に分離された吸排気経路が構成されることとなり、効果的な電子回路ユニットの冷却構造が得られることから複数のラック２１を横方向密に並列配置させることが可能となる。
この分離部材９５についても上面板９６と底面板９７との形状を拡大形成させて、図８で説明の遮蔽部材７３を形成付与させること、または、図１０で説明の遮蔽部材７３，７７を形成付与させること、さらには、図１１で説明の遮蔽部材９２，９３を形成付与させること、などは必要に応じてなし得ることは、あえて具体的に説明するまでもなく当然に適用し得ることである。
【００７８】
以上、本発明によれば、現在の通信装置サブユニット１ならびにラック２１に対してなんらの改造などを施すことなく分離部材を適用するのみで格別な冷却構造を得ることができるものであるその実用上の効果はきわめて大きく、遮蔽部材を追加することによりさらにその作用、効果が大きくなるものである。
通信装置サブユニット１単位または単体に対しての適用が可能なことはもちろんのこと、複数の通信装置サブユニット１を密接積層し、この複数について吸排気経路を一括して確保させることについても適用可能なことが含まれるものである。
【００７９】
電子回路ユニットについて、かならずしもプリント回路基板に限定するものでないことは、もちろんのことであり水平方向の気流によって冷却を要する回路ユニットに適用可能なことである。
分離部材についても、上下のいずれかの一方で可能なことを含み、上下に配置適用し得ることで一層効果的な吸排気が行なえるものとなる。遮蔽部材についても選択的な配置が可能である。
【００８０】
分離部材および遮蔽部材については、板金材を組み合わせることに限定することなく、合成樹脂を組み合わせ形成すること、または一体成型することであってもよいものである。
サブユニット内に対しての冷却用空気の流路についても右から左方向にかぎらず逆方向であってもよいものであり、その場合には遮蔽部材の遮蔽部の方向を逆にして対応し得ることである。
【００８１】
上記、実施の形態にあっては、理解を容易とするために通信装置サブユニット１に終始限定して説明したが、本発明においては通信装置に限定するものではなく、それぞれ以外の同様な構成のサブユニットであれば、各種の情報処理装置や、その他の電子装置、計測装置、などに適用し得るものである。
（付記１）    サブユニット内に実装された電子回路ユニットに対して水平方向に冷却用空気を通気させる電子回路ユニットの冷却構造であって、
上記冷却用空気の吸気と排気とをサブユニットの前後方向に分離整流させる分離部材をサブユニットの上面および、または下面に下面に一方の側面から他方の側面に到るように設けたことを特徴とする電子回路ユニットの冷却構造。
【００８２】
（付記２）    サブユニット内へ水平姿勢に実装された電子回路ユニットに対して水平方向に冷却用空気を通気させる電子回路ユニットの冷却構造であって、
上記冷却用空気の吸気と排気とを分離整流させる分離部材をサブユニットの上面および、または下面に一方の側面から他方の側面に到るように設けることにより吸気と排気とをサブユニットの前後方向に流通させることを特徴とする電子回路ユニットの冷却構造。
【００８３】
（付記３）    サブユニット内に実装された電子回路ユニットに対して水平方向に冷却用空気を通気させる電子回路ユニットの冷却構造であって、
上記冷却用空気の吸気と排気とをサブユニットの前後方向に分離整流させる分離部材をサブユニットの上面および、または下面に一方の側面から他方の側面に到るように設けるとともに上記分離部材にサブユニットを実装するラックの側面に延びて冷却用空気の上方向または下方向への流れを遮蔽する遮蔽部材を設けたことを特徴とする電子回路ユニットの冷却構造。
【００８４】
（付記４）    付記１ないし付記３のいずれかに記載の電子回路ユニットの冷却構造において、電子回路ユニットはプリント回路基板からなることを特徴とする電子回路ユニットの冷却構造。
（付記５）    付記１ないし付記３のいずれかに記載の電子回路ユニットの冷却構造において、冷却用空気は電子回路ユニットの側面に配置された電動ファンによって通気されることを特徴とする電子回路ユニットの冷却構造。
【００８５】
（付記６）    付記１ないし付記３のいずれかに記載の電子回路ユニットの冷却構造において、分離部材は上面板と下面板との間を正面側の一方の側面と背面側の他方の側面との間を連通する斜辺部によって区画遮蔽するよう構成してなることを特徴とする電子回路ユニットの冷却構造。
（付記７）    付記１ないし付記３のいずれかに記載の電子回路ユニットの冷却構造において、分離部材は上面板と下面板との間を正面側の一方の側面と背面側の他方の側面との間を連通する前後方向と左右方向とを屈曲形成してなる連続した遮蔽板によって区画遮蔽するよう構成してなることを特徴とする電子回路ユニットの冷却構造。
【００８６】
（付記８）    付記１または付記２に記載の電子回路ユニットの冷却構造において、サブユニットを実装するラックの側面に延びて冷却用空気の上下方向への流れを遮蔽する遮蔽部材をラックに設けられてサブユニットを挿入支持させるレールに設けたことを特徴とする電子回路ユニットの冷却構造。
（付記９）    付記３の電子回路ユニットの冷却構造において、遮蔽部材は分離部材の上面板または下面板に一体形成することを特徴とする電子回路ユニットの冷却構造。
【００８７】
【発明の効果】
以上、詳細に説明のように本発明の電子回路の冷却構造によれば、水平方向に流れる電子回路ユニットへの強制冷却用空気の流れを効果的に分離整流させることで吸気と排気とが混合することのない冷却構造とすることができることから、サブユニットを密接状態に並列配置させることができるといったその実用上の効果は顕著なものであり、遮蔽部材を併用することで一層その効果を向上させることができるものである。
【図面の簡単な説明】
【図１】本発明の分離部材の第１の一実施の形態の斜視図（その１）である。
【図２】本発明の分離部材の第１の一実施の形態の斜視図（その２）である。
【図３】図２の分離部材を取り付けた状態のラックの正面図である。
【図４】図３のラックに通信装置サブユニットを挿入実装させた状態である。
【図５】図４の要部平面視断面図である。
【図６】本発明の遮蔽部材の一実施の形態の説明図である。
【図７】図６の遮蔽部材をラックに取り付けた状態の平面視断面図である。
【図８】本発明の分離部材の第２の一実施の形態の斜視図である。
【図９】図８の分離部材をラックに取り付けた状態の平面視断面図である。
【図１０】本発明の分離部材の第３の一実施の形態の斜視図である。
【図１１】本発明の分離部材の第４の一実施の形態の斜視図である。
【図１２】本発明の分離部材および遮蔽部材をラックに取り付けた状態の正面図である。
【図１３】本発明の分離部材の第５の一実施の形態の斜視図である。
【図１４】本発明にかかる通信装置サブユニットの概略の外観図である。
【図１５】図１４の通信装置サブユニットの側面図である。
【図１６】本発明にかかるラックの概略の平面視断面図である。
【図１７】ラックに通信装置サブユニットを挿入搭載させた状態の正面図である。
【図１８】図１７の要部平面視断面図である。
【図１９】従来構造における冷却用空気の流れの説明図である。
【図２０】発明が解決しようとする課題の説明図（その１）である。
【図２１】発明が解決しようとする課題の説明図（その２）である。
【符号の説明】
１    通信装置サブユニット
２    第１の電子回路ユニット
３    電源ユニット
４    バックボード
５    第２の電子回路ユニット
６    第１の送風機ユニット
７    第２の送風機ユニット
８    エアフィルタ
９    取り付け金具
１１    取り付け孔
１２，１３    ファン
１４    カバー
２１    ラック
２２    縦フレーム、正面側の縦フレーム
２３    縦フレーム、背面側の縦フレーム
２４    天井部材
２５    底板部材
２６    側面カバー
２７    背面扉
２８    レール
２９    パネル板
３１    基礎台枠
３２    側面カバー
３５    分離部材
３６    本体部
３７    カバー板
３８    底面板
３９    斜辺部
４１    帯状部
４２    取り付け面
４３    対の取り付け面
４４    取り付け孔
４５    細長い取り付け孔
４６    取り付け金具
４７    ねじ孔
４８    取り付け孔
４９    取り付け用孔
５５    遮蔽部材
５６    取り付け面
５７    ねじ挿入孔
５８    ねじ孔
５９    取り付け金具
６１    細長い取り付け孔
６２    取り付け面
６３    ねじ挿入孔
６４    ねじ孔
７１    分離部材
７２    カバー板
７３    遮蔽部材
７５    分離部材
７６    カバー板
７７    遮蔽部材
８１    分離部材
８２    本体部
８３    底面板
８４    上面板
８５    斜辺部
８６    帯状部
８７    取り付け面
８８    対の取り付け面
８９    取り付け孔
９１    取り付け用孔
９２，９３    遮蔽部材
９５    分離部材
９６    上面板
９７    底面板
９８    遮蔽板
９９    結合金具
１０１    垂直面
１０２    並行面
【図１】
0003753084.tif 000002
【図２】
0003753084.tif 000003
【図３】
0003753084.tif 000004
【図４】
0003753084.tif 000005
【図５】
0003753084.tif 000006
【図６】
0003753084.tif 000007
【図７】
0003753084.tif 000008
【図８】
0003753084.tif 000009
【図９】
0003753084.tif 000010
【図１０】
0003753084.tif 000011
【図１１】
0003753084.tif 000012
【図１２】
0003753084.tif 000013
【図１３】
0003753084.tif 000014
【図１４】
0003753084.tif 000015
【図１５】
0003753084.tif 000016
【図１６】
0003753084.tif 000017
【図１７】
0003753084.tif 000018
【図１８】
0003753084.tif 000019
【図１９】
0003753084.tif 000020
【図２０】
0003753084.tif 000021
【図２１】
0003753084.tif 000022